(57)【特許請求の範囲】
【請求項１】
無線ＬＡＮシステムにおいてＡＰ（Ａｃｃｅｓｓ  Ｐｏｉｎｔ）が一つ以上のステーション（ＳＴＡ）にデータ送信のためのリソース割当て情報を送信する方法であって、
前記ＡＰにおいて、シグナリングフィールド及びデータフィールドを含むフレームを構成するステップであって、
前記シグナリングフィールドは前記一つ以上のＳＴＡのための共通制御情報を含む第１シグナリングフィールド（ＳＩＧ  Ａフィールド）及び前記一つ以上のＳＴＡのそれぞれのための使用者特定制御情報を含む第２シグナリングフィールド（ＳＩＧ  Ｂフィールド）を含むように構成され、
前記ＳＩＧ  Ｂフィールドは前記一つ以上のＳＴＡへの前記データ送信のための前記リソース割当て情報を含むように構成される、ステップと、
前記ＡＰが、前記構成されたフレームを前記一つ以上のＳＴＡに送信するステップと、を含み、
第１周波数帯域で送信される前記ＳＩＧ  Ｂフィールドの前記リソース割当て情報は、前記第１周波数帯域とは違う第２周波数帯域において送信されるデータのためのリソース割当て情報を含み、
前記第１周波数帯域は、第１の２０ＭＨｚ帯域を含み、
前記第２周波数帯域は、第２の２０ＭＨｚ帯域を含み、
前記ＳＩＧ  Ｂフィールドは、前記第１の２０ＭＨｚ帯域において送信される制御情報が前記第２の２０ＭＨｚ帯域に繰り返されるように構成され、
前記繰り返される制御情報は、前記第２の２０ＭＨｚ帯域において送信される、方法。
【請求項２】
前記第１の２０ＭＨｚ帯域において送信される前記ＳＩＧ  Ｂフィールドは、前記第２の２０ＭＨｚ帯域において送信されるデータのためのリソース割当て情報を含む、請求項１に記載の方法。
【請求項３】
前記リソース割当て情報は、２４２トーンに対応するチャンク上で前記データを送信するために使用されるリソースを示す第１リソース割当て情報を含む、請求項１に記載の方法。
【請求項４】
前記リソース割当て情報は、前記２４２トーンに対応する前記チャンク内で前記一つ以上のＳＴＡのそれぞれに割り当てられるリソースを示す第２リソース割当て情報をさらに含む、請求項３に記載の方法。
【請求項５】
前記リソース割当て情報は、チャンクインデックス、チャンク数、開始チャンクインデックス及びリソース構成情報の少なくとも一つを含む、請求項３に記載の方法。
【請求項６】
前記第１の２０ＭＨｚ帯域における前記ＳＩＧ  Ｂフィールドの時間領域の長さは、前記第２の２０ＭＨｚ帯域における前記ＳＩＧ  Ｂフィールドの前記時間領域の長さと同一である、請求項１に記載の方法。
【請求項７】
前記第１の２０ＭＨｚ帯域及び前記第２の２０ＭＨｚ帯域のそれぞれで前記ＳＩＧ  Ｂフィールドを介して割り当てられるリソースを受信するＳＴＡの数は、
前記第１の２０ＭＨｚ帯域及び前記第２の２０ＭＨｚ帯域のそれぞれで前記ＳＩＧ  Ｂフィールドの前記時間領域の長さに基づいて決定される、請求項６に記載の方法。
【請求項８】
無線ＬＡＮシステムにおいて第１ステーション（ＳＴＡ）がＡＰ（Ａｃｃｅｓｓ  Ｐｏｉｎｔ）からデータ受信のためのリソース割当て情報を受信する方法であって、
前記第１ＳＴＡが、前記ＡＰからシグナリングフィールド及びデータフィールドを含むフレームを受信するステップであって、
前記シグナリングフィールドは、前記第１ＳＴＡを含む一つ以上のＳＴＡのための共通制御情報を含む第１シグナリングフィールド（ＳＩＧ  Ａフィールド）及び前記一つ以上のＳＴＡのそれぞれのための使用者特定制御情報を含む第２シグナリングフィールド（ＳＩＧ  Ｂフィールド）を含み、
前記ＳＩＧ  Ｂフィールドは前記一つ以上のＳＴＡへのデータ送信のためのリソース割当て情報を含む、ステップと、
前記第１ＳＴＡにおいて、前記受信されたフレームを処理するステップと、を含み、
前記第１ＳＴＡは、第１周波数帯域とは違う第２周波数帯域において受信されるデータのためのリソース割当て情報を含むものとして、前記第１周波数帯域で受信される前記ＳＩＧ  Ｂフィールドの前記リソース割当て情報を処理し、
前記第１周波数帯域は、第１の２０ＭＨｚ帯域を含み、
前記第２周波数帯域は、第２の２０ＭＨｚ帯域を含み、
前記ＳＩＧ  Ｂフィールドは、前記第１の２０ＭＨｚ帯域に含まれる制御情報が前記第２の２０ＭＨｚ帯域に繰り返されるように処理され、
前記繰り返される制御情報は、前記第２の２０ＭＨｚ帯域に含まれる、方法。
【請求項９】
前記第１の２０ＭＨｚ帯域に含まれる前記ＳＩＧ  Ｂフィールドは、前記第２の２０ＭＨｚ帯域を介して受信されるデータのためのリソース割当て情報を含む、請求項８に記載の方法。
【請求項１０】
無線ＬＡＮシステムにおいて一つ以上のステーション（ＳＴＡ）にデータ送信のためのリソース割当て情報を送信するＡＰ（Ａｃｃｅｓｓ  Ｐｏｉｎｔ）装置であって、
前記一つ以上のＳＴＡと信号を送受信するように構成される送受信機、及び、
前記送受信機に連結され、前記送受信機を介して前記一つ以上のＳＴＡにシグナリングフィールド及びデータフィールドを含むフレームを送信するように構成されるプロセッサを含み、
前記プロセッサは、前記一つ以上のＳＴＡのための共通制御情報を含む第１シグナリングフィールド（ＳＩＧ  Ａフィールド）及び前記一つ以上のＳＴＡのそれぞれのための使用者特定制御情報を含む第２シグナリングフィールド（ＳＩＧ  Ｂフィールド）を含むように前記シグナリングフィールドを構成し、
前記プロセッサは、前記一つ以上のＳＴＡへの前記データ送信のための前記リソース割当て情報を含むように前記ＳＩＧ  Ｂフィールドを構成し、
前記プロセッサは、第１周波数帯域とは違う第２周波数帯域において送信されるデータのためのリソース割当て情報を含むように、前記第１周波数帯域で送信される前記ＳＩＧ  Ｂフィールドの前記リソース割当て情報を構成し、
前記第１周波数帯域は、第１の２０ＭＨｚ帯域を含み、
前記第２周波数帯域は、第２の２０ＭＨｚ帯域を含み、
前記プロセッサは、前記ＳＩＧ  Ｂフィールドを、前記第１の２０ＭＨｚ帯域において送信される制御情報が前記第２の２０ＭＨｚ帯域に繰り返されるように構成し、
前記繰り返される制御情報は、前記第２の２０ＭＨｚ帯域において送信される、ＡＰ装置。
【請求項１１】
無線ＬＡＮシステムにおいてＡＰ（Ａｃｃｅｓｓ  Ｐｏｉｎｔ）からデータ受信のためのリソース割当て情報を受信するステーション（ＳＴＡ）装置であって、
前記ＡＰと信号を送受信するように構成される送受信機、及び、
前記送受信機に連結され、前記送受信機を介して前記ＡＰからシグナリングフィールド及びデータフィールドを含むフレームを受信するように構成されるプロセッサを含み、
前記シグナリングフィールドは、前記ＳＴＡを含む一つ以上のＳＴＡのための共通制御情報を含む第１シグナリングフィールド（ＳＩＧ  Ａフィールド）及び前記一つ以上のＳＴＡのそれぞれのための使用者特定制御情報を含む第２シグナリングフィールド（ＳＩＧ  Ｂフィールド）を含み、
前記ＳＩＧ  Ｂフィールドは、前記一つ以上のＳＴＡへのデータ送信のためのリソース割当て情報を含み、
前記プロセッサは、第１周波数帯域とは違う第２周波数帯域において送信されるデータのためのリソース割当て情報を含むものとして、前記第１周波数帯域で受信される前記ＳＩＧ  Ｂフィールドの前記リソース割当て情報を処理し、
前記第１周波数帯域は、第１の２０ＭＨｚ帯域を含み、
前記第２周波数帯域は、第２の２０ＭＨｚ帯域を含み、
前記プロセッサは、前記ＳＩＧ  Ｂフィールドを、前記第１の２０ＭＨｚ帯域に含まれる制御情報が前記第２の２０ＭＨｚ帯域に繰り返されるように処理し、
前記繰り返される制御情報は、前記第２の２０ＭＨｚ帯域に含まれる、ＳＴＡ装置。
【発明の詳細な説明】
【技術分野】
【０００１】
この明細書は無線ＬＡＮシステムに関するもので、より詳しくは無線ＬＡＮシステムにおいて広帯域フレームがデータ伝送のためにステーション（ＳＴＡ）にリソースを割り当てる方法及びそのための装置に関するものである。
【背景技術】
【０００２】
以下で提案するリソース割当て方法は多様な無線通信に適用可能であるが、以下では本発明が適用可能なシステムの一例として無線ＬＡＮ（ｗｉｒｅｌｅｓｓ  ｌｏｃａｌ  ａｒｅａ  ｎｅｔｗｏｒｋ、ＷＬＡＮ）システムについて説明する。
【０００３】
無線ＬＡＮ技術に対する標準はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ  ８０２．１１ａ及びｂは２．４．ＧＨｚ又は５ＧＨｚで非免許帯域（ｕｎｌｉｃｅｎｓｅｄ  ｂａｎｄ）を利用し、ＩＥＥＥ  ８０２．１１ｂは１１Ｍｂｐｓの伝送速度を提供し、ＩＥＥＥ  ８０２．１１ａは５４Ｍｂｐｓの伝送速度を提供する。ＩＥＥＥ  ８０２．１１ｇは２．４ＧＨｚで直交周波数分割多重化（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ；ＯＦＤＭ）を適用し、５４Ｍｂｐｓの伝送速度を提供する。ＩＥＥＥ  ８０２．１１ｎは多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ；ＭＩＭＯ−ＯＦＤＭ）を適用し、４個の空間的なストリーム（ｓｐａｔｉａｌ  ｓｔｒｅａｍ）に対して３００Ｍｂｐｓの伝送速度を提供する。ＩＥＥＥ  ８０２．１１ｎではチャネル帯域幅（ｃｈａｎｎｅｌ  帯域幅）を４０ＭＨｚまでサポートし、この場合には６００Ｍｂｐｓの伝送速度を提供する。
【０００４】
上述した無線ＬＡＮ標準は、最大１６０ＭＨｚ帯域幅を用いて、８個の空間ストリームをサポートして最大１Ｇｂｉｔ／ｓの速度をサポートするＩＥＥＥ  ８０２．１１ａｃ標準を経て、ＩＥＥＥ  ８０２．１１ａｘ標準化に関する議論が進んでいる。
【発明の概要】
【発明が解決しようとする課題】
【０００５】
本発明が達成しようとする技術的課題は、無線ＬＡＮシステムにおいて複数の使用者についてのリソース割当て情報を効率的に送信又は受信する方法を提供することにある。
【０００６】
本発明は上述した技術的課題に限定されなく、他の技術的課題が本発明の実施例から類推可能である。
【課題を解決するための手段】
【０００７】
上述した技術的課題を達成するための本発明の一態様によると、無線ＬＡＮシステムにおいてＡＰ（Ａｃｃｅｓｓ  Ｐｏｉｎｔ）が一つ以上のステーション（ＳＴＡ）にデータ伝送のためのリソース割当て情報を送信する方法であって、前記ＡＰから前記一つ以上のステーションにシグナリングフィールド及びデータフィールドを含むフレームを送信し、前記シグナリングフィールドは前記一つ以上のステーションについての第１共通制御情報を含む第１シグナリングフィールド（ＳＩＧ  Ａフィールド）及び前記一つ以上のステーションのそれぞれに個別的な制御情報を含む第２シグナリングフィールド（ＳＩＧ  Ｂフィールド）を含み、前記第２シグナリングフィールドは前記一つ以上のステーションにデータ伝送のためのリソース割当て情報を含み、前記リソース割当て情報は前記第２シグナリングフィールド（ＳＩＧ  Ｂフィールド）が送信される周波数帯域とは違う周波数帯域で送信されるデータについてのリソース割当て情報を含む、リソース割当て情報伝送方法を提案する。
【０００８】
前記第２シグナリングフィールド（ＳＩＧ  Ｂフィールド）は、２０ＭＨｚ単位の第１帯域と前記第１チャネルに連続する２０ＭＨｚ単位の第２帯域で互いに独立的な制御情報を送信することができ、これとは違い、前記第２シグナリングフィールド（ＳＩＧ  Ｂフィールド）は、２０ＭＨｚ単位の第１帯域に伝送される制御情報が２０ＭＨｚ単位の他の第２帯域に繰り返される形態で送信されることができる。
【０００９】
この際、前記第１帯域を介して送信される第２シグナリングフィールドは、前記第２帯域を介して送信されるデータについてのリソース割当て情報を含むことができる。
【００１０】
前記リソース割当て情報は、前記データが送信されるリソースを２４２トーン（ｔｏｎｅ）に対応するチャンク（ｃｈｕｎｋ）単位で知らせる第１リソース割当て情報を含むことができ、前記リソース割当て情報は、前記データが送信されるリソースを前記２４２トーンに対応するチャンク内で各ＳＴＡに割り当てられるリソースを知らせる第２リソース割当て情報をさらに含むことができる。
【００１１】
前記リソース割当て情報は、チャンクインデックス、チャンク数、開始チャンクインデックス及びリソース構成情報の一つ以上を含むことができる。
【００１２】
前記第１帯域における前記第２シグナリングフィールド（ＳＩＧ  Ｂフィールド）の時間領域の長さは前記第２帯域における前記第２シグナリングフィールド（ＳＩＧ  Ｂフィールド）の時間領域の長さと同一であることが好ましい。
【００１３】
このために、前記第１帯域及び前記第２帯域のそれぞれで前記第２シグナリングフィールド（ＳＩＧ  Ｂフィールド）がリソースを割り当てるＳＴＡの数は、前記第１帯域及び前記第２帯域のそれぞれで前記第２シグナリングフィールド（ＳＩＧ  Ｂフィールド）の時間領域の長さを考慮して決定されることが好ましい。
【００１４】
一方、本発明の他の一態様によると、無線ＬＡＮシステムにおいてステーション（ＳＴＡ）がＡＰ（Ａｃｃｅｓｓ  Ｐｏｉｎｔ）からデータ受信のためのリソース割当て情報を受信する方法であって、前記ＡＰからシグナリングフィールド及びデータフィールドを含むフレームを受信し、前記シグナリングフィールドは、前記ステーションを含む一つ以上のステーションについての第１共通制御情報を含む第１シグナリングフィールド（ＳＩＧ  Ａフィールド）及び前記一つ以上のステーションのそれぞれに個別的な制御情報を含む第２シグナリングフィールド（ＳＩＧ  Ｂフィールド）を含み、前記第２シグナリングフィールドは前記一つ以上のステーションにデータ伝送のためのリソース割当て情報を含み、前記リソース割当て情報は、前記第２シグナリングフィールド（ＳＩＧ  Ｂフィールド）が送信される周波数帯域とは違う周波数帯域に送信されるデータについてのリソース割当て情報を含む、リソース割当て情報受信方法を提案する。
【００１５】
この際、前記第２シグナリングフィールド（ＳＩＧ  Ｂフィールド）は、２０ＭＨｚ単位の第１帯域と前記第１帯域に連続する２０ＭＨｚ単位の第２帯域で互いに独立的な制御情報を含むことができる。これとは違い、前記第２シグナリングフィールド（ＳＩＧ  Ｂフィールド）は２０ＭＨｚ単位の第１帯域に含まれる制御情報が２０ＭＨｚ単位の他の第２帯域に繰り返される形態で含まれることができる。
【００１６】
ここで、前記第１チャネルに含まれた第２シグナリングフィールドは、前記第２チャネルを介して受信されるデータについてのリソース割当て情報を含むことができる。
【００１７】
一方、本発明の他の一態様によると、無線ＬＡＮシステムにおいて一つ以上のステーション（ＳＴＡ）にデータ伝送のためのリソース割当て情報を送信するＡＰ（Ａｃｃｅｓｓ  Ｐｏｉｎｔ）装置であって、前記一つ以上のステーションと信号を送受信するように構成される送受信機（ｔｒａｎｓｃｅｉｖｅｒ）、及び、前記送受信機に連結され、前記送受信機を介して前記一つ以上のステーションにシグナリングフィールド及びデータフィールドを含むフレームを送信するように構成されるプロセッサを含み、前記シグナリングフィールドは、前記一つ以上のステーションについての第１共通制御情報を含む第１シグナリングフィールド（ＳＩＧ  Ａフィールド）及び前記一つ以上のステーションのそれぞれに個別的な制御情報を含む第２シグナリングフィールド（ＳＩＧ  Ｂフィールド）を含み、前記第２シグナリングフィールドは、前記一つ以上のステーションにデータ伝送のためのリソース割当て情報を含み、前記リソース割当て情報は、前記第２シグナリングフィールド（ＳＩＧ  Ｂフィールド）が送信される周波数帯域とは違う周波数帯域に送信されるデータについてのリソース割当て情報を含む、ＡＰ装置を提案する。
【００１８】
また、本発明の他の一態様によると、無線ＬＡＮシステムにおいてＡＰ（Ａｃｃｅｓｓ  Ｐｏｉｎｔ）からデータ受信のためのリソース割当て情報を受信するステーション（ＳＴＡ）装置であって、前記ＡＰと信号を送受信するように構成される送受信機（ｔｒａｎｓｃｅｉｖｅｒ）、及び、前記送受信機に連結され、前記送受信機を介して前記ＡＰからシグナリングフィールド及びデータフィールドを含むフレームを受信するように構成されるプロセッサを含み、前記シグナリングフィールドは、前記ステーションを含む一つ以上のステーションについての第１共通制御情報を含む第１シグナリングフィールド（ＳＩＧ  Ａフィールド）及び前記一つ以上のステーションのそれぞれに個別的な制御情報を含む第２シグナリングフィールド（ＳＩＧ  Ｂフィールド）を含み、前記第２シグナリングフィールドは、前記一つ以上のステーションにデータ伝送のためのリソース割当て情報を含み、前記リソース割当て情報は、前記第２シグナリングフィールド（ＳＩＧ  Ｂフィールド）が送信される周波数帯域とは違う周波数帯域に送信されるデータについてのリソース割当て情報を含む、ステーション装置を提案する。
【発明の効果】
【００１９】
本発明の一実施例によると、複数の使用者のフレームの伝送帯域幅内でリソース割当て情報が送信されるチャネルとデータ伝送のために割り当てられたリソースが位置するチャネルが自由に設定されることにより、リソース割当てによる負荷（ｌｏａｄ）がチャネル上に効率的に分散されることができ、リソース割当て情報を含むフィールドがチャネルの間に容易に整列されることができる。
【００２０】
本発明の効果は以上で言及した効果に制限されず、言及しなかった他の効果は下記の記載から本発明が属する技術分野で通常の知識を有する者に明らかに理解可能であろう。
【図面の簡単な説明】
【００２１】
【図１】無線ＬＡＮシステムの構成の一例を示した図である。
【図２】無線ＬＡＮシステムの構成の他の例を示した図である。
【図３】無線ＬＡＮシステムの例示的な構造を示す図である。
【図４】一般的なリンクセットアップ（ｌｉｎｋ  ｓｅｔｕｐ）過程を説明するための図である。
【図５】能動的スキャニング法及び受動的スキャニング法を説明するための図である。
【図６】ＴＩＭを受信したステーションの動作を詳細に説明するための図である。
【図７】ＴＩＭを受信したステーションの動作を詳細に説明するための図である。
【図８】ＴＩＭを受信したステーションの動作を詳細に説明するための図である。
【図９】ＩＥＥＥ  ８０２．１１システムで使われるフレーム構造の一例を説明するための図である。
【図１０】ＩＥＥＥ  ８０２．１１システムで使われるフレーム構造の一例を説明するための図である。
【図１１】ＩＥＥＥ  ８０２．１１システムで使われるフレーム構造の一例を説明するための図である。
【図１２】ＩＥＥＥ  ８０２．１１システムで使われるフレーム構造の一例を説明するための図である。
【図１３】ＩＥＥＥ  ８０２．１１システムで使われるフレーム構造の一例を説明するための図である。
【図１４】ＭＡＣフレームフォーマットを示した図である。
【図１５】ＭＡＣフレームフォーマットを示した図である。
【図１６】ＭＡＣフレームフォーマットを示した図である。
【図１７】Ｓｈｏｒｔ  ＭＡＣフレームフォーマットを示した図である。
【図１８】本発明の一実施例によるＨＥ（Ｈｉｇｈ  Ｅｆｆｉｃｉｅｎｃｙ）ＰＰＤＵフォーマットの一例を示した図である。
【図１９】本発明の一実施例によってＨＥ−ＳＩＧ  Ｂが２０ＭＨｚごとに繰り返し送信される形態によるリソース割当て方式を説明するための図である。
【図２０】本発明の一実施例によってＨＥ−ＳＩＧ  Ｂが２０ＭＨｚごとに繰り返し送信される形態によるリソース割当て方式を説明するための図である。
【図２１】本発明の一実施例によってデータパートが多様な大きさのチャンクで構成される場合を示す図である。
【図２２】本発明の一実施例によって２０ＭＨｚ帯域ごとに独立したＨＥ−ＳＩＧ  Ｂが送信される場合を説明するための図である。
【図２３】本発明の一実施形態によって独立した２０ＭＨｚ単位のＨＥ−ＳＩＧ  ＢがＨＥ−ＳＩＧ  Ｂの２０ＭＨｚ範囲に関係なくリソース割当てを行う方法を説明する図である。
【図２４】本発明の一実施例によってＨＥ−ＳＩＧ  Ｂが送信される形態を示す図である。
【図２５】本発明の一実施例によるＡＰ装置（又は基地局装置）及びステーション装置（又は端末装置）の例示的な構成を示すブロック図である。
【図２６】本発明の一実施例によるＡＰ装置又はステーション装置のプロセッサの例示的な構造を示す。
【発明を実施するための形態】
【００２２】
以下、本発明による好適な実施形態を添付図面に基づいて詳細に説明する。添付図面に基づいて以下で開示する詳細な説明は本発明の例示的な実施形態を説明しようとするもので、本発明が実施可能な唯一の実施形態を示そうとするものではない。以下の詳細な説明は本発明の完全な理解を提供するために具体的な詳細事項を含む。しかし、当業者は本発明がこのような具体的な詳細事項なしにも実施可能であることが分かる。
【００２３】
以下の実施例は本発明の構成要素と特徴を所定の形態に結合したものである。それぞれの構成要素又は特徴は、別の明示的言及がない限り、選択的なものとして考慮することができる。それぞれの構成要素又は特徴は他の構成要素や特徴と結合されない形態で実施可能である。また、一部の構成要素及び／又は特徴を結合して本発明の実施例を構成することもできる。本発明の実施例で説明される動作の順序は変更可能である。ある実施例の一部の構成又は特徴は他の実施例に含まれることができ、あるいは他の実施例の対応する構成又は特徴に取り替えられることができる。
【００２４】
以下の説明で使う特定の用語は本発明の理解を助けるために提供したもので、このような特定の用語の使用は本発明の技術的思想を逸脱しない範囲内で他の形態に変更可能である。
【００２５】
場合によって、本発明の概念があいまいになることを避けるために、公知の構造及び装置は省略するか、あるいはそれぞれの構造及び装置の核心機能を中心としたブロック図の形式で示される。また、この明細書全般にわたって同じ構成要素に対しては同じ図面符号を付けて説明する。
【００２６】
本発明の実施例は無線アクセスシステムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム及び３ＧＰＰ２システムの少なくとも一つに開示された標準文書によって裏付けられることができる。すなわち、本発明の実施例において、本発明の技術的思想を明確に示すために説明しない段階又は部分は前記文書によって裏付けられることができる。また、この文書で開示している全ての用語は前記標準文書によって説明可能である。
【００２７】
以下の技術はＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などの多様な無線アクセスシステムに使うことができる。ＣＤＭＡはＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｒａｄｉｏ  ｔｅｃｈｎｏｌｏｇｙ）によって実現可能である。ＴＤＭＡはＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって実現可能である。ＯＦＤＭＡはＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などの無線技術によって実現可能である。
【００２８】
また、この明細書において、第１及び／又は第２などの用語は多様な構成要素を説明するのに使うことができるが、前記構成要素は前記用語によって限定されてはいけない。前記用語はある構成要素を他の構成要素から区別する目的のみで、例えばこの明細書の概念による権利範囲から離脱しない範囲内で、第１構成要素は第２構成要素と名付けることができ、同様に第２構成要素は第１構成要素と名付けることもできる。
【００２９】
また、明細書全般にわたり、一部分が他の構成要素を“含む”と言うとき、これは、特に反対する記載がない限り、他の構成要素を除くものではなくさらに他の構成要素をさらに含むことができることを意味する。そして、この明細書に記載した“…ユニット”、“…部”などの用語は少なくとも一つの機能又は動作を処理する単位を意味し、これはハードウェア及び／又はソフトウェアの結合によって実装可能である。
【００３０】
図１は無線ＬＡＮシステムの構成の一例を示した図である。
【００３１】
図１に示したように、無線ＬＡＮシステムは一つ以上の基本サービスセット（Ｂａｓｉｃ  Ｓｅｒｖｉｃｅ  Ｓｅｔ：ＢＳＳ）を含む。ＢＳＳは同期化に成功して互いに通信することができるステーション（Ｓｔａｔｉｏｎ；ＳＴＡ）の集合である。
【００３２】
ＳＴＡは媒体アクセス制御（Ｍｅｄｉｕｍ  Ａｃｃｅｓｓ  Ｃｏｎｔｒｏｌ；ＭＡＣ）と無線媒体に対する物理層（Ｐｈｙｓｉｃａｌ  Ｌａｙｅｒ）インターフェースを含む論理個体であって、アクセスポイント（ａｃｃｅｓｓ  ｐｏｉｎｔ；ＡＰ）と非ＡＰ  ＳＴＡ（Ｎｏｎ−ＡＰ  Ｓｔａｔｉｏｎ）を含む。ＳＴＡのうち、使用者が操作する携帯用端末はＮｏｎ−ＡＰ  ＳＴＡであって、単にＳＴＡと言うときはＮｏｎ−ＡＰ  ＳＴＡを示すこともある。Ｎｏｎ−ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、使用者装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、携帯用端末（Ｍｏｂｉｌｅ  Ｔｅｒｍｉｎａｌ）、又は移動加入者ユニット（Ｍｏｂｉｌｅ  Ｓｕｂｓｃｒｉｂｅｒ  Ｕｎｉｔ）などの他の名称でも呼ばれることができる。
【００３３】
そして、ＡＰは自分に結合されたＳＴＡ（Ａｓｓｏｃｉａｔｅｄ  Ｓｔａｔｉｏｎ）に無線媒体を介して分配システム（Ｄｉｓｔｒｉｂｕｔｉｏｎ  Ｓｙｓｔｅｍ；ＤＳ）への接続を提供する個体である。ＡＰは、集中制御器、基地局（Ｂａｓｅ  Ｓｔａｔｉｏｎ、ＢＳ）、Ｎｏｄｅ−Ｂ、ＢＴＳ（Ｂａｓｅ  Ｔｒａｎｓｃｅｉｖｅｒ  Ｓｙｓｔｅｍ）、又はサイト制御器などと呼ばれることもできる。
【００３４】
ＢＳＳはインフラストラクチャー（ｉｎｆｒａｓｔｒｕｃｔｕｒｅ）ＢＳＳと独立的（Ｉｎｄｅｐｅｎｄｅｎｔ）ＢＳＳ（ＩＢＳＳ）に区分することができる。
【００３５】
図１に示したＢＢＳはＩＢＳＳである。ＩＢＳＳはＡＰを含んでいないＢＳＳを意味し、ＡＰを含んでいないので、ＤＳへの接続が許されなくて自己完結的ネットワーク（ｓｅｌｆ−ｃｏｎｔａｉｎｅｄ  ｎｅｔｗｏｒｋ）を成す。
【００３６】
図２は無線ＬＡＮシステムの構成の他の例を示した図である。
【００３７】
図２に示したＢＳＳはインフラストラクチャーＢＳＳである。インフラストラクチャーＢＳＳは一つ以上のＳＴＡ及びＡＰを含む。インフラストラクチャーＢＳＳにおいて、非ＡＰ  ＳＴＡの間の通信はＡＰを介してなされることが原則であるが、非ＡＰ  ＳＴＡの間に直接リンク（ｌｉｎｋ）が設定された場合には、非ＡＰ  ＳＴＡの間で直接通信も可能である。
【００３８】
図２に示したように、複数のインフラストラクチャーＢＳＳはＤＳを介して互いに連結されることができる。ＤＳを介して連結された複数のＢＳＳを拡張サービスセット（Ｅｘｔｅｎｄｅｄ  Ｓｅｒｖｉｃｅ  Ｓｅｔ、ＥＳＳ）と言う。ＥＳＳに含まれるＳＴＡは互いに通信することができ、同じＥＳＳ内で非ＡＰ  ＳＴＡは途切れなく通信しながら一つのＢＳＳから他のＢＳＳに移動することができる。
【００３９】
ＤＳは複数のＡＰを連結するメカニズム（ｍｅｃｈａｎｉｓｍ）であって、必ずしもネットワークである必要はなく、所定の分配サービスを提供することができる限り、その形態に対しては何らの制限がない。例えば、ＤＳはメッシュ（ｍｅｓｈ）ネットワークのような無線ネットワークであってもよく、ＡＰを互いに連結する物理的な構造物であってもよい。
【００４０】
図３は、無線ＬＡＮシステムの例示的な構造を示す図である。図３では、ＤＳを含む基盤構造ＢＳＳの一例を示す。
【００４１】
図３の例示で、ＢＳＳ１及びＢＳＳ２がＥＳＳを構成する。無線ＬＡＮシステムにおいてステーションはＩＥＥＥ  ８０２．１１のＭＡＣ／ＰＨＹ規定に従って動作する機器である。ステーションは、ＡＰステーション及び非ＡＰ（ｎｏｎ−ＡＰ）ステーションを含む。Ｎｏｎ−ＡＰステーションは、ラップトップコンピュータ、移動電話機のように、一般的にユーザが直接扱う機器に相当する。図３の例示で、ステーション１、ステーション３、ステーション４はｎｏｎ−ＡＰステーションに相当し、ステーション２及びステーション５はＡＰステーションに相当する。
【００４２】
以下の説明でｎｏｎ−ＡＰステーションを、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装置（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動端末（Ｍｏｂｉｌｅ  Ｔｅｒｍｉｎａｌ）、移動加入者局（Ｍｏｂｉｌｅ  Ｓｕｂｓｃｒｉｂｅｒ  Ｓｔａｔｉｏｎ；ＭＳＳ）などと呼ぶこともできる。また、ＡＰは、他の無線通信分野における基地局（Ｂａｓｅ  Ｓｔａｔｉｏｎ；ＢＳ）、ノードＢ（Ｎｏｄｅ−Ｂ）、発展したノードＢ（ｅｖｏｌｖｅｄ  Ｎｏｄｅ−Ｂ；ｅＮＢ）、基底送受信システム（Ｂａｓｅ  Ｔｒａｎｓｃｅｉｖｅｒ  Ｓｙｓｔｅｍ；ＢＴＳ）、フェムト基地局（Ｆｅｍｔｏ  ＢＳ）などに対応する概念である。
【００４３】
図４は一般的なリンクセットアップ（ｌｉｎｋ  ｓｅｔｕｐ）過程を説明するための図、図５は能動的スキャニング及び受動的スキャニング法を説明するための図である。
【００４４】
ステーションがネットワークに対してリンクをセットアップし、データを送受信するためには、まずネットワークを発見（ｄｉｓｃｏｖｅｒｙ）し、認証（ａｕｔｈｅｎｔｉｃａｔｉｏｎ）を行い、アソシエーション（ａｓｓｏｃｉａｔｉｏｎ）を確立し（ｅｓｔａｂｌｉｓｈ）、セキュリティ（ｓｅｃｕｒｉｔｙ）のための認証過程などを経なければならない。リンクセットアップ過程をセッション開始過程、セッションセットアップ過程とも称することができる。また、リンクセットアップ過程の発見、認証、アソシエーション、セキュリティ設定の過程を総称してアソシエーション過程と称することもできる。
【００４５】
図４を参照して例示的なリンクセットアップ過程について説明する。
【００４６】
段階Ｓ４１０で、ステーションはネットワーク発見動作を行うことができる。ネットワーク発見動作はステーションのスキャニング（ｓｃａｎｎｉｎｇ）動作を含むことができる。すなわち、ステーションがネットワークにアクセスするためには参加可能なネットワークを捜さなければならない。ステーションは無線ネットワークに参加する前に互換性のあるネットワークを識別しなければならなく、特定の領域に存在するネットワークの識別過程をスキャニングと言う。
【００４７】
スキャニング方式には能動的スキャニング（ａｃｔｉｖｅ  ｓｃａｎｎｉｎｇ）と受動的スキャニング（ｐａｓｓｉｖｅ  ｓｃａｎｎｉｎｇ）がある。図４では例示的に能動的スキャニング過程を含むネットワーク発見動作を示すが、受動的スキャニング過程で動作することもできる。
【００４８】
能動的スキャニングでスキャニングを行うステーションはチャネルを変えながら周辺にどのＡＰが存在するかを探索するためにプローブ要求フレーム（ｐｒｏｂｅ  ｒｅｑｕｅｓｔ  ｆｒａｍｅ）を送信し、これに対する応答を待つ。応答者（ｒｅｓｐｏｎｄｅｒ）はプローブ要求フレームを送信したステーションにプローブ要求フレームに対する応答としてプローブ応答フレーム（ｐｒｏｂｅ  ｒｅｓｐｏｎｓｅ  ｆｒａｍｅ）を送信する。ここで、応答者はスキャニングされているチャネルのＢＳＳで最後にビーコンフレーム（ｂｅａｃｏｎ  ｆｒａｍｅ）を送信したステーションであってもよい。ＢＳＳではＡＰがビーコンフレームを送信するのでＡＰが応答者となり、ＩＢＳＳではＩＢＳＳ内のステーションが循環しながらビーコンフレームを送信するので、応答者が一定しない。例えば、１番チャネルでプローブ要求フレームを送信し１番チャネルでプローブ応答フレームを受信したステーションは、受信したプローブ応答フレームに含まれたＢＳＳ関連情報を保存し、次のチャネル（例えば、２番チャネル）に移動して同じ方法でスキャニング（すなわち、２番チャネル上でプローブ要求／応答送受信）を行うことができる。
【００４９】
また、図５を参照すると、スキャニング動作は受動的スキャニング方式で行うこともできる。受動的スキャニングでスキャニングを行うステーションはチャネルを変えながらビーコンフレームを待つ。ビーコンフレームはＩＥＥＥ  ８０２．１１での管理フレーム（ｍａｎａｇｅｍｅｎｔ  ｆｒａｍｅ）の一つであり、無線ネットワークの存在を知らせ、スキャニングを行うステーションにとって無線ネットワークを捜して無線ネットワークに参加することができるように周期的に送信される。ＢＳＳでＡＰがビーコンフレームを周期的に送信する役目をし、ＩＢＳＳではＩＢＳＳ内のステーションが循環しながらビーコンフレームを送信する。スキャニングを行うステーションは、ビーコンフレームを受信すれば、ビーコンフレームに含まれたＢＳＳについての情報を保存し、他のチャネルに移動しながら各チャネルでビーコンフレーム情報を記録する。ビーコンフレームを受信したステーションは、受信したビーコンフレームに含まれたＢＳＳ関連情報を保存し、次のチャネルに移動し、同じ方法で次のチャネルでスキャニングを行うことができる。
【００５０】
能動的スキャニングと受動的スキャニングを比較すると、能動的スキャニングが受動的スキャニングよりディレイ（ｄｅｌａｙ）及び電力消費が少ない利点がある。
【００５１】
ステーションがネットワークを発見した後、段階Ｓ４２０で認証過程を行うことができる。このような認証過程は、後述する段階Ｓ４４０のセキュリティセットアップ動作と明確に区分するために、一番目認証（ｆｉｒｓｔ  ａｕｔｈｅｎｔｉｃａｔｉｏｎ）過程と称することができる。
【００５２】
認証過程は、ステーションが認証要求フレーム（ａｕｔｈｅｎｔｉｃａｔｉｏｎ  ｒｅｑｕｅｓｔ  ｆｒａｍｅ）をＡＰに送信し、これに応答してＡＰが認証応答フレーム（ａｕｔｈｅｎｔｉｃａｔｉｏｎ  ｒｅｓｐｏｎｓｅ  ｆｒａｍｅ）をステーションに送信する過程を含む。認証要求／応答に使われる認証フレーム（ａｕｔｈｅｎｔｉｃａｔｉｏｎ  ｆｒａｍｅ）は管理フレームに相当する。
【００５３】
認証フレームは、認証アルゴリズム番号（ａｕｔｈｅｎｔｉｃａｔｉｏｎ  ａｌｇｏｒｉｔｈｍ  ｎｕｍｂｅｒ）、認証トランザクションシーケンス番号（ａｕｔｈｅｎｔｉｃａｔｉｏｎ  ｔｒａｎｓａｃｔｉｏｎ  ｓｅｑｕｅｎｃｅ  ｎｕｍｂｅｒ）、状態コード（ｓｔａｔｕｓ  ｃｏｄｅ）、検問テキスト（ｃｈａｌｌｅｎｇｅ  ｔｅｘｔ）、ＲＳＮ（Ｒｏｂｕｓｔ  Ｓｅｃｕｒｉｔｙ  Ｎｅｔｗｏｒｋ）、有限循環グループ（Ｆｉｎｉｔｅ  Ｃｙｃｌｉｃ  Ｇｒｏｕｐ）などについての情報を含むことができる。これは認証要求／応答フレームに含まれることができる情報の一部の例示であり、他の情報に取り替えられるか、追加の情報がさらに含まれることができる。
【００５４】
ステーションは認証要求フレームをＡＰに送信することができる。ＡＰは受信された認証要求フレームに含まれた情報に基づき、該当ステーションに対する認証を許すかを決定することができる。ＡＰは認証処理の結果を認証応答フレームを介してステーションに提供することができる。
【００５５】
ステーションの認証が成功した後、段階Ｓ４３０でアソシエーション過程を実行することができる。アソシエーション過程は、ステーションがアソシエーション要求フレーム（ａｓｓｏｃｉａｔｉｏｎ  ｒｅｑｕｅｓｔ  ｆｒａｍｅ）をＡＰに送信し、これに応答してＡＰがアソシエーション応答フレーム（ａｓｓｏｃｉａｔｉｏｎ  ｒｅｓｐｏｎｓｅ  ｆｒａｍｅ）をステーションに送信する過程を含む。
【００５６】
例えば、アソシエーション要求フレームは、多様な能力（ｃａｐａｂｉｌｉｔｙ）についての情報、ビーコン聴取間隔（ｌｉｓｔｅｎ  ｉｎｔｅｒｖａｌ）、ＳＳＩＤ（ｓｅｒｖｉｃｅ  ｓｅｔ  ｉｄｅｎｔｉｆｉｅｒ）、サポートレート（ｓｕｐｐｏｒｔｅｄ  ｒａｔｅｓ）、サポートチャネル（ｓｕｐｐｏｒｔｅｄ  ｃｈａｎｎｅｌｓ）、ＲＳＮ、移動性ドメイン、サポートオペレーティングクラス（ｓｕｐｐｏｒｔｅｄ  ｏｐｅｒａｔｉｎｇ  ｃｌａｓｓｅｓ）、ＴＩＭ放送要求（Ｔｒａｆｆｉｃ  Ｉｎｄｉｃａｔｉｏｎ  Ｍａｐ  Ｂｒｏａｄｃａｓｔ  ｒｅｑｕｅｓｔ）、相互作用（ｉｎｔｅｒｗｏｒｋｉｎｇ）サービス能力などについての情報を含むことができる。
【００５７】
例えば、アソシエーション応答フレームは、多様な能力についての情報、状態コード、ＡＩＤ（Ａｓｓｏｃｉａｔｉｏｎ  ＩＤ）、サポートレート、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット、ＲＣＰＩ（Ｒｅｃｅｉｖｅｄ  Ｃｈａｎｎｅｌ  Ｐｏｗｅｒ  Ｉｎｄｉｃａｔｏｒ）、ＲＳＮＩ（Ｒｅｃｅｉｖｅｄ  Ｓｉｇｎａｌ  ｔｏ  Ｎｏｉｓｅ  Ｉｎｄｉｃａｔｏｒ）、移動性ドメイン、タイムアウト間隔（アソシエーションカムバック時間（ａｓｓｏｃｉａｔｉｏｎ  ｃｏｍｅｂａｃｋ  ｔｉｍｅ））、重畳（ｏｖｅｒｌａｐｐｉｎｇ）ＢＳＳスキャンパラメータ、ＴＩＭ放送応答、ＱｏＳマップなどの情報を含むことができる。
【００５８】
これはアソシエーション要求／応答フレームに含まれることができる情報の一部の例示であり、他の情報に取り替えられるか、追加の情報がさらに含まれることができる。
【００５９】
ステーションがネットワークへのアソシエーションに成功した後、段階Ｓ５４０でセキュリティセットアップ過程を行うことができる。段階Ｓ４４０のセキュリティセットアップ過程はＲＳＮＡ（Ｒｏｂｕｓｔ  Ｓｅｃｕｒｉｔｙ  Ｎｅｔｗｏｒｋ  Ａｓｓｏｃｉａｔｉｏｎ）要求／応答による認証過程と言うこともでき、前記段階Ｓ５２０の認証過程を第一認証（ｆｉｒｓｔ  ａｕｔｈｅｎｔｉｃａｔｉｏｎ）過程と言い、段階Ｓ５４０のセキュリティセットアップ過程を単に認証過程とも言うこともできる。
【００６０】
段階Ｓ４４０のセキュリティセットアップ過程は、例えばＥＡＰＯＬ（Ｅｘｔｅｎｓｉｂｌｅ  Ａｕｔｈｅｎｔｉｃａｔｉｏｎ  Ｐｒｏｔｏｃｏｌ  ｏｖｅｒ  ＬＡＮ）フレームを介した４ウェイ（ｗａｙ）ハンドシェイキングによって、プライベートキーセットアップ（ｐｒｉｖａｔｅ  ｋｅｙ  ｓｅｔｕｐ）を行う過程を含むことができる。また、セキュリティセットアップ過程はＩＥＥＥ  ８０２．１１標準で定義しないセキュリティ方式で行うこともできる。
【００６１】
図６〜図８はＴＩＭを受信したステーションの動作を詳細に説明するための図である。
【００６２】
図６を参照すると、ステーションは、ＡＰからＴＩＭ（Ｔｒａｆｆｉｃ  Ｉｎｄｉｃａｔｉｏｎ  Ｍａｐ）を含むビーコンフレームを受信するために、スリープ状態からアウェイク状態に転換し、受信したＴＩＭ要素を解釈することによって自分に送信されるべきバッファーされたトラフィックがあることが分かる。ステーションはＰＳ−Ｐｏｌｌフレーム伝送のための媒体アクセスのために他のステーションと競争（ｃｏｎｔｅｎｄｉｎｇ）を行った後、ＡＰにデータフレーム伝送を要求するために、ＰＳ−Ｐｏｌｌフレームを送信することができる。ステーションによって送信されたＰＳ−Ｐｏｌｌフレームを受信したＡＰはステーションにフレームを送信することができる。ステーションはデータフレームを受信し、これに対する確認応答（ＡＣＫ）フレームをＡＰに送信することができる。その後、ステーションは再びスリープ状態に転換することができる。
【００６３】
図６のように、ＡＰはステーションからＰＳ−Ｐｏｌｌフレームを受信してから所定の時間（例えば、ＳＩＦＳ（Ｓｈｏｒｔ  Ｉｎｔｅｒ−Ｆｒａｍｅ  Ｓｐａｃｅ））の後にデータフレームを送信する即時応答（ｉｍｍｅｄｉａｔｅ  ｒｅｓｐｏｎｓｅ）方式で動作することができる。一方、ＡＰがＰＳ−Ｐｏｌｌフレームを受信した後、ステーションに送信すべきデータフレームをＳＩＦＳ時間の間に準備することができなかった場合には、遅延された応答（ｄｅｆｅｒｒｅｄ  ｒｅｓｐｏｎｓｅ）方式で動作することができ、これについては図７を参照して説明する。
【００６４】
図７の例示において、ステーションがスリープ状態からアウェイク状態に転換してＡＰからＴＩＭを受信し、競争によってＰＳ−ＰｏｌｌフレームをＡＰに送信する動作は図６の例示と同様である。ＡＰがＰＳ−Ｐｏｌｌフレームを受信してからＳＩＦＳの間にデータフレームを準備することができなかった場合、データフレームを送信する代わりにＡＣＫフレームをステーションに送信することができる。ＡＰは、ＡＣＫフレームの伝送後にデータフレームが準備されれば、競争を行った後、データフレームをステーションに送信することができる。ステーションはデータフレームの受信に成功したことを示すＡＣＫフレームをＡＰに送信し、スリープ状態に転換することができる。
【００６５】
図８はＡＰがＤＴＩＭを送信する例示に対するものである。ステーションはＡＰからＤＴＩＭ要素を含むビーコンフレームを受信するために、スリープ状態からアウェイク状態に転換することができる。ステーションは受信したＤＴＩＭを介してマルチキャスト／ブロードキャストフレームが送信されるはずであることが分かる。ＡＰはＤＴＩＭを含むビーコンフレームの伝送後、ＰＳ−Ｐｏｌｌフレームの送受信動作なしに直ぐデータ（すなわち、マルチキャスト／ブロードキャストフレーム）を送信することができる。ステーションはＤＴＩＭを含むビーコンフレームを受けた後に続いてアウェイク状態を維持するうちにデータを受信し、データ受信が完了した後に再びスリープ状態に転換することができる。
【００６６】
図９〜図１３はＩＥＥＥ  ８０２．１１システムで使われるフレーム構造の一例を説明するための図である。
【００６７】
ステーション（ＳＴＡ）はＰＰＤＵ（Ｐｈｙｓｉｃａｌ  Ｌａｙｅｒ  Ｃｏｎｖｅｒｇｅｎｃｅ  Ｐｒｏｔｏｃｏｌ（ＰＬＣＰ）Ｐａｃｋｅｔ  Ｄａｔａ  Ｕｎｉｔ）を受信することができる。この時、ＰＰＤＵフレームフォーマットは、ＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、ＳＩＧ（ＳＩＧＮＡＬ）フィールド、及びデータ（Ｄａｔａ）フィールドを含んでなることができる。この時、一例として、ＰＰＤＵフレームフォーマットの種類に基づいてＰＰＤＵフレームフォーマットが設定されることができる。
【００６８】
一例として、ｎｏｎ−ＨＴ（Ｈｉｇｈ  Ｔｈｒｏｕｇｈｐｕｔ）ＰＰＤＵフレームフォーマットはＬ−ＳＴＦ（Ｌｅｇａｃｙ−ＳＴＦ）、Ｌ−ＬＴＦ（Ｌｅｇａｃｙ−ＬＴＦ）、ＳＩＧフィールド及びデータフィールドのみで構成可能である。
【００６９】
また、ＰＰＤＵフレームフォーマットの種類はＨＴ−ｍｉｘｅｄフォーマットＰＰＤＵ及びＨＴ−ｇｒｅｅｎｆｉｅｌｄフォーマットＰＰＤＵのいずれか一つに設定されることができる。この時、上述したＰＰＤＵフォーマットでは、ＳＩＧフィールドとデータフィールドの間に追加の（又は他の種類の）ＳＴＦ、ＬＴＦ、ＳＩＧフィールドがさらに含まれることもできる。
【００７０】
また、図１０を参照すると、ＶＨＴ（Ｖｅｒｙ  Ｈｉｇｈ  Ｔｈｒｏｕｇｈｐｕｔ）ＰＰＤＵフォーマットが設定されることができる。この時、ＶＨＴ  ＰＰＤＵフォーマットでもＳＩＧフィールドとデータフィールドの間に追加的な（又は他の種類の）ＳＴＦ、ＬＴＦ、ＳＩＧフィールドが含まれることもできる。より詳細に、ＶＨＴ  ＰＰＤＵフォーマットでは、Ｌ−ＳＩＧフィールドとデータフィールドの間にＶＨＴ−ＳＩＧ−Ａフィールド、ＶＨＴ−ＳＴＦフィールド、ＶＨＴ−ＬＴＦ及びＶＨＴ  ＳＩＧ−Ｂフィールドの少なくともいずれか一つ以上が含まれることができる。
【００７１】
この時、ＳＴＦは、信号検出、ＡＧＣ（Ａｕｔｏｍａｔｉｃ  Ｇａｉｎ  Ｃｏｎｔｒｏｌ）、ダイバーシティ選択、精密な時間同期などのための信号であってもよい。また、ＬＴＦは、チャネル推定、周波数誤差推定などのための信号であってもよい。この時、ＳＴＦとＬＴＦを合わせてＰＬＣＰプリアンブル（ｐｒｅａｍｂｌｅ）と称することができ、ＰＬＣＰプリアンブルはＯＦＤＭ物理層の同期化及びチャネル推定のための信号であると言える。
【００７２】
また、図１１を参照すると、ＳＩＧフィールドはＲＡＴＥフィールド及びＬＥＮＧＴＨフィールドなどを含むことができる。ＲＡＴＥフィールドはデータの変調及びコーディングレートについての情報を含むことができる。ＬＥＮＧＴＨフィールドはデータの長さについての情報を含むことができる。さらに、ＳＩＧフィールドはパリティ（ｐａｒｉｔｙ）ビット、ＳＩＧ  ＴＡＩＬビットなどを含むことができる。
【００７３】
データフィールドはＳＥＲＶＩＣＥフィールド、ＰＳＤＵ（ＰＬＣＰ  Ｓｅｒｖｉｃｅ  Ｄａｔａ  Ｕｎｉｔ）、ＰＰＤＵ  ＴＡＩＬビットを含むことができ、必要な場合には、パッディングビットも含むことができる。
【００７４】
この時、図１２を参照すると、ＳＥＲＶＩＣＥフィールドの一部ビットは受信端でのディスクランブラの同期化のために使われることができ、一部のビットは留保された（Ｒｅｓｅｒｖｅｄ）ビットで構成されることができる。ＰＳＤＵはＭＡＣ層で定義されるＭＡＣ  ＰＤＵ（Ｐｒｏｔｏｃｏｌ  Ｄａｔａ  Ｕｎｉｔ）に対応し、上位層で生成／利用されるデータを含むことができる。ＰＰＤＵ  ＴＡＩＬビットはエンコーダを０状態にリターンするために用いられることができる。パッディングビットはデータフィールドの長さを所定の単位で合わせるために用いられることができる。
【００７５】
また、一例として、上述したように、ＶＨＴ  ＰＰＤＵフォーマットは追加の（又は他の種類の）ＳＴＦ、ＬＴＦ、ＳＩＧフィールドを含むこともできる。この時、Ｌ−ＳＴＦ、Ｌ−ＬＴＦ、Ｌ−ＳＩＧはＶＨＴ  ＰＰＤＵのＮｏｎ−ＶＨＴに対する部分であってもよい。この時、ＶＨＴ  ＰＰＤＵで、ＶＨＴ−ＳＩＧ−Ａ、ＶＨＴ−ＳＴＦ、ＶＨＴ−ＬＴＦ及びＶＨＴ−ＳＩＧ−ＢはＶＨＴに対する部分であってもよい。すなわち、ＶＨＴ  ＰＰＤＵはＮｏｎ−ＶＨＴに対するフィールド及びＶＨＴフィールドに対する領域がそれぞれ定義されていることもある。この時、一例として、ＶＨＴ−ＳＩＧ−ＡはＶＨＴ  ＰＰＤＵを解釈するための情報を含むことができる。
【００７６】
この時、一例として、図１３を参照すると、ＶＨＴ−ＳＩＧ−ＡはＶＨＴ  ＳＩＧ−Ａ１（図１３の（ａ））及びＶＨＴ  ＳＩＧ−Ａ２（図１３の（ｂ））で構成されることができる。この時、ＶＨＴ  ＳＩＧ−Ａ１及びＶＨＴ  ＳＩＧ−Ａ２はそれぞれ２４データビットで構成されることができ、ＶＨＴ  ＳＩＧ−Ａ１がＶＨＴ  ＳＩＧ−Ａ２より先に送信されることができる。この時、ＶＨＴ  ＳＩＧ−Ａ１にはＢＷ、ＳＴＢＣ、Ｇｒｏｕｐ  ＩＤ、ＮＳＴＳ／Ｐａｒｔｉａｌ  ＡＩＤ、ＴＸＯＰ＿ＰＳ＿ＮＯＴ＿ＡＬＬＯＷＥＤフィールド及びＲｅｓｅｒｖｅｄフィールドなどを含むことができる。また、ＶＨＴ  ＳＩＧ−Ａ２はＳｈｏｒｔ  ＧＩ、Ｓｈｏｒｔ  ＧＩ  ＮＳＹＭ  Ｄｉｓａｍｂｉｇｕａｔｉｏｎ、ＳＵ／ＭＵ［０］Ｃｏｄｉｎｇ、ＬＤＰＣ  Ｅｘｔｒａ  ＯＦＤＭ  Ｓｙｍｂｏｌ、ＳＵ  ＶＨＴ−ＭＣＳ／ＭＵ［１−３］Ｃｏｄｉｎｇ、Ｂｅａｍｆｏｒｍｅｄ、ＣＲＣ、Ｔａｉｌ及びＲｅｓｅｒｖｅｄフィールドなどを含むことができる。これにより、ＶＨＴ  ＰＰＤＵについての情報を確認するようにすることができる。
【００７７】
図１４〜図１６はＭＡＣフレームフォーマットを示した図である。
【００７８】
上述したＰＰＤＵフォーマットのいずれか一つに基づくＰＰＤＵをステーションが受信することができる。この時、ＰＰＤＵフレームフォーマットのデータパートのＰＳＤＵにはＭＡＣ  ＰＤＵを含むことができる。この時、ＭＡＣ  ＰＤＵは多様なＭＡＣフレームフォーマットによって定義され、基本的なＭＡＣフレームはＭＡＣヘッダー、フレームボディー、及びＦＣＳ（Ｆｒａｍｅ  Ｃｈｅｃｋ  Ｓｅｑｕｅｎｃｅ）で構成されることができる。
【００７９】
この時、一例として、図１４を参照すると、ＭＡＣヘッダーはフレーム制御（Ｆｒａｍｅ  Ｃｏｎｔｒｏｌ）フィールド、区間（Ｄｕｒａｔｉｏｎ）／ＩＤフィールド、アドレス（Ａｄｄｒｅｓｓ）フィールド、Ｓｅｑｕｅｎｃｅ  Ｃｏｎｔｒｏｌ、ＱｏＳ  Ｃｏｎｔｒｏｌ、ＨＴ  Ｃｏｎｔｒｏｌサブフィールドなどを含むことができる。この時、ＭＡＣヘッダーのうち、フレーム制御（Ｆｒａｍｅ  Ｃｏｎｔｒｏｌ）フィールドはフレーム送信／受信に必要な制御情報を含むことができる。区間／ＩＤフィールドは該当フレームなどを送信するための時間に設定されることができる。また、アドレスフィールドは送信者及び受信者についての識別情報などを含むことができ、これについては後述する。また、Ｓｅｑｕｅｎｃｅ  Ｃｏｎｔｒｏｌ、ＱｏＳ  Ｃｏｎｔｒｏｌ、ＨＴ  ＣｏｎｔｒｏｌフィールドなどはＩＥＥＥ  ８０２．１１標準文書を参照することができる。
【００８０】
この時、一例として、ＨＴ  ＣｏｎｔｒｏｌフィールドはＨＴ  ｖａｒｉａｎｔ及びＶＨＴ  ｖａｒｉａｎｔの二つの形態（ｔｗｏ  ｆｏｒｍ）を有することができる。この時、それぞれの形態によってＨＴ  Ｃｏｎｔｒｏｌフィールドに含まれた情報が違うことができる。また、図１５及び図１６を参照すると、ＨＴ  ＣｏｎｔｒｏｌのＶＨＴ  ｓｕｂｆｉｅｌｄはＨＴ  ＣｏｎｔｒｏｌフィールドがＨＴ  ｖａｒｉａｎｔ及びＶＨＴ  ｖａｒｉａｎｔの中でどの形態であるかを指示するフィールドであってもよい。この時、一例として、ＶＨＴ  ｓｕｂｆｉｅｌｄが“０”値を有すればＨＴ  ｖａｒｉａｎｔ形態であってもよく、ＶＨＴ  ｓｕｂｆｉｅｌｄが“１”値を有すればＶＨＴ  ｖａｒｉａｎｔ形態であってもよい。
【００８１】
この時、一例として、図１５を参照すると、ＨＴ  ＣｏｎｔｒｏｌフィールドがＨＴ  ｖａｒｉａｎｔ形態であれば、Ｌｉｎｋ  Ａｄａｐｔａｔｉｏｎ  Ｃｏｎｔｒｏｌ、Ｃａｌｉｂｒａｔｉｏｎ  Ｐｏｓｉｔｉｏｎ、Ｃａｌｉｂｒａｔｉｏｎ  Ｓｅｑｕｅｎｃｅ、ＣＳＩ／Ｓｔｅｅｒｉｎｇ、ＨＴ  ＮＤＰ  Ａｎｎｏｕｎｃｅｍｅｎｔ、ＡＣ  ｃｏｎｓｔｒａｉｎｔ、ＲＤＧ／Ｍｏｒｅ  ＰＰＤＵ及びＲｅｓｅｒｖｅｄフィールドなどを含むことができる。この時、一例として、図１５のｂを参照すると、Ｌｉｎｋ  Ａｄａｐｔａｔｉｏｎ  ＣｏｎｔｒｏｌフィールドはＴＲＱ、ＭＡＩ、ＭＦＳＩ及びＭＦＢ／ＡＳＥＬＣフィールドなどを含むことができ、もっと詳細な事項はＩＥＥＥ  ８０２．１１標準文書を参考することができる。
【００８２】
また、一例として、図１６を参照すると、ＨＴ  ＣｏｎｔｒｏｌフィールドがＶＨＴ  ｖａｒｉａｎｔ形態であれば、ＭＲＱ、ＭＳＩ、ＭＦＳＩ／ＧＩＤ−ＬＭ、ＭＦＢ  ＧＩＤ−Ｈ、Ｃｏｄｉｎｇ  Ｔｙｐｅ、ＦＢ  Ｔｘ  Ｔｙｐｅ、ＦＢ  Ｔｘ  Ｔｙｐｅ、Ｕｎｓｏｌｉｃｉｔｅｄ  ＭＦＢ、ＡＣ  ｃｏｎｓｔｒａｉｎｔ、ＲＤＧ／Ｍｏｒｅ  ＰＰＤＵ及びＲｅｓｅｒｖｅｄフィールドなどを含むことができる。この時、一例として、図１６のｂを参照すると、ＭＦＢフィールドはＶＨＴＮ＿ＳＴＳ、ＭＣＳ、ＢＷ、ＳＮＲフィールドなどを含むことができる。
【００８３】
図１７はＳｈｏｒｔ  ＭＡＣフレームフォーマットを示した図である。ＭＡＣフレームは必要によって不要な情報を減らして無線リソースの浪費を防ぐためにＳｈｏｒｔ  ＭＡＣフレーム形態に構成されることができる。この時、一例として、図１７を参照すると、ＳｈｏｒｔフレームのＭＡＣヘッダーにはフレーム制御（Ｆｒａｍｅ  Ｃｏｎｔｒｏｌ）フィールド、Ａ１フィールド及びＡ２フィールドはいつも含まれることができる。また、Ｓｅｑｕｅｎｃｅ  Ｃｏｎｔｒｏｌフィールド、Ａ３フィールド及びＡ４フィールドは選択的に含まれることができる。これにより、ＭＡＣフレームで不要な情報を省略して無線リソースの浪費を防ぐことができる。
【００８４】
この時、一例として、ＭＡＣヘッダーのフレーム制御フィールドをよく調べると、Ｐｒｏｔｏｃｏｌ  Ｖｅｒｓｉｏｎ、Ｔｙｐｅ、ＰＴＩＤ／Ｓｕｂｔｙｐｅ、Ｆｒｏｍ  ＤＳ、Ｍｏｒｅ  Ｆｒａｇｍｅｎｔ、Ｐｏｗｅｒ  Ｍａｎａｇｅｍｅｎｔ、Ｍｏｒｅ  Ｄａｔａ、Ｐｒｏｔｅｃｔｅｄ  Ｆｒａｍｅ、Ｅｎｄ  ｏｆ  Ｓｅｒｖｉｃｅ  Ｐｅｒｉｏｄ、Ｒｅｌａｙｅｄ  Ｆｒａｍｅ及びＡｃｋ  Ｐｏｌｉｃｙフィールドなどを含むことができる。フレーム制御フィールドのそれぞれのサブフィールドの内容はＩＥＥＥ  ８０２．１１標準文書を参照することができる。
【００８５】
一方、ＭＡＣヘッダーのフレーム制御フィールドのうちタイプ（Ｔｙｐｅ）フィールドは３ビットで構成され、０〜３の値はそれぞれのアドレス情報に対する構成を含んでおり、４−７は留保されていることもある。これに関連し、本発明では留保されている値によって新しいアドレス情報を指示することができ、これについては後述する。
【００８６】
また、ＭＡＣヘッダーの制御フレームフィールドのうちＦｒｏｍ  ＤＳフィールドは１ビットで構成されることができる。
【００８７】
また、その他に、Ｍｏｒｅ  Ｆｒａｇｍｅｎｔ、Ｐｏｗｅｒ  Ｍａｎａｇｅｍｅｎｔ、Ｍｏｒｅ  Ｄａｔａ、Ｐｒｏｔｅｃｔｅｄ  Ｆｒａｍｅ、Ｅｎｄ  ｏｆ  Ｓｅｒｖｉｃｅ  Ｐｅｒｉｏｄ、Ｒｅｌａｙｅｄ  Ｆｒａｍｅ及びＡｃｋ  Ｐｏｌｉｃｙフィールドなどは１ビットで構成されることができる。この時、Ａｃｋ  ＰｏｌｉｃｙフィールドはＡＣＫ／ＮＡＣＫ情報であり、１ビットで構成されることができる。
【００８８】
上述した形態に構成されるフレームを含むステーションに関連し、ＶＨＴ  ＡＰ（Ａｃｃｅｓｓ  Ｐｏｉｎｔ）ステーションは一つのＢＳＳでＴＸＯＰ（Ｔｒａｎｓｍｉｔ  Ｏｐｐｏｒｔｕｎｉｔｙ）ｐｏｗｅｒ  ｓａｖｅモードで動作するｎｏｎ−ＡＰ  ＶＨＴステーションをサポートすることができる。この時、一例として、ｎｏｎ−ＡＰ  ＶＨＴステーションは活性化（ａｃｔｉｖｅ）状態であり、ＴＸＯＰ  ｐｏｗｅｒ  ｓａｖｅモードで動作することができる。この時、ＡＰ  ＶＨＴステーションはＴＸＯＰの間にｎｏｎ−ＡＰ  ＶＨＴステーションを非活性化（ｄｏｚｅ）状態に転換するようにすることができる。この時、一例として、ＡＰ  ＶＨＴステーションはＴＸＶＥＣＴＯＲパラメータであるＴＸＯＰ＿ＰＳ＿ＮＯＴ＿ＡＬＬＯＷＥＤの値を０に設定し、ＶＨＴ  ＰＰＤＵを送信することにより、非活性化状態に転換するようにすることを指示することができる。この時、ＡＰ  ＶＨＴステーションによってＶＨＴ  ＰＰＤＵと一緒に送信されるＴＸＶＥＣＴＯＲ内にあるパラメータの値はＴＸＯＰの間に１から０に変更されて維持されることができる。これにより、残ったＴＸＯＰの間に省電力を行うことができる。
【００８９】
反対に、ＴＸＯＰ＿ＰＳ＿ＮＯＴ＿ＡＬＬＯＷＥＤの値が１に設定されて省電力を行わない場合には、ＴＸＶＥＣＴＯＲ内にあるパラメータ値を変更せずに維持することができる。
【００９０】
また、一例として、上述したように、ｎｏｎ−ＡＰ  ＶＨＴステーションがＴＸＯＰ  ｐｏｗｅｒ  ｓａｖｅ  ｍｏｄｅでＴＸＯＰの間に非活性化に転換する場合は、次の条件を満たす場合であってもよい。
【００９１】
−ＶＨＴ  ＭＵ  ＰＰＤＵを受信した場合であって、ステーションがＲＸＶＥＣＴＯＲパラメータであるＧｒｏｕｐ＿ＩＤによってＧｒｏｕｐのメンバーとして指示されない場合
【００９２】
−ＳＵＰＰＤＵを受信した場合であって、ステーションがＲＸＶＥＣＴＯＲパラメータであるＰＡＲＴＩＡＬ＿ＡＩＤが０ではないかステーションのｐａｒｔｉａｌ  ＡＩＤと一致しない場合
【００９３】
−ステーションがＲＸＶＥＣＴＯＲパラメータであるＰＡＲＴＩＡＬ＿ＡＩＤがステーションのｐａｒｔｉａｌ  ＡＩＤと一致すると判断するが、ＭＡＣヘッダーにある受信者アドレスがステーションのＭＡＣアドレスと一致しない場合
【００９４】
−ステーションがＲＸＶＥＣＴＯＲパラメータであるＧＲＯＵＰ＿ＩＤによってグループのメンバーとして指示されるが、ＲＸＶＥＣＴＯＲパラメータであるＮＵＭ＿ＳＴＳが０に設定された場合
【００９５】
−ＶＨＴ  ＮＤＰ  Ａｎｎｏｕｎｃｅｍｅｎｔフレームを受信し、ステーションがＲＸＶＥＣＴＯＲパラメータであるＰＡＲＴＩＡＬ＿ＡＩＤが０に設定され、ステーションのＩｎｆｏ  ｆｉｅｌｄにあるＡＩＤが一致しない場合
【００９６】
−ステーションが、Ｍｏｒｅ  Ｄａｔａ  ｆｉｅｌｄが０に設定され、Ａｃｋ  Ｐｏｌｉｃｙ  ｓｕｂｆｉｅｌｄがＮｏ  Ａｃｋ設定されたフレームを受信するかあるいはＡｃｋ  Ｐｏｌｉｃｙ  ｓｕｂｆｉｅｌｄがＮｏ  Ａｃｋではない状態であって、ＡＣＫを送信した場合
【００９７】
この時、ＡＰ  ＶＨＴステーションは残ったＴＸＯＰ区間に設定されるＤｕｒａｔｉｏｎ／ＩＤ値とＮＡＶ−ＳＥＴ  Ｓｅｑｕｅｎｃｅ（例えば、ＲＴＳ／ＣＴＳ）を含むことができる。この時、ＡＰ  ＶＨＴステーションは残ったＴＸＯＰの間に上述した条件に基づいて非活性化状態に転換するｎｏｎ−ＡＰ  ＶＨＴステーションに対してはフレームを送信しないことができる。
【００９８】
また、一例として、ＡＰ  ＶＨＴステーションがＶＨＴ  ＰＰＤＵをＴＸＶＥＣＴＯＲパラメータであるＴＸＯＰ＿ＰＳ＿ＮＯＴ＿ＡＬＬＯＷＥＤの値を０に設定して同じＴＸＯＰで一緒に送信し、ステーションが活性化状態で非活性化状態に変更されることを望まない場合、ＡＰ  ＶＨＴステーションはＶＨＴ  ＳＵ  ＰＰＤＵを送信しないことができる。
【００９９】
また、一例として、ＡＰ  ＶＨＴステーションはＴＸＯＰが始まるときに設定されたＮＡＶが満了する前には非活性化状態に転換したＶＨＴステーションにフレームを送信しないことができる。
【０１００】
この時、ＡＰ  ＶＨＴステーションがＭｏｒｅ  Ｄａｔａ  ｆｉｅｌｄが０に設定された状態でＭＳＤＵ、Ａ−ＭＳＤＵ及びＭＭＰＤＵの少なくとも一つ以上を含むフレームを送信した後ＡＣＫを受信することができなかった場合、同じＴＸＯＰで少なくとも一度再送信されることができる。この時、一例として、同じＴＸＯＰの最後のフレームで再伝送に対するＡＣＫを受信することができなかった場合、次のＴＸＯＰまで待ってからフレームが再送信されることができる。
【０１０１】
また、一例として、ＡＰ  ＶＨＴステーションがＴＸＯＰ  ｐｏｗｅｒ  ｓａｖｅモードで動作するＶＨＴステーションからＢｌｏｃｋＡｃｋフレームを受信することができる。この時、ＢｌｏｃｋＡｃｋフレームはＭｏｒｅ  Ｄａｔａ  ｆｉｅｌｄが０に設定されたＭＰＤＵを含むＡ−ＭＰＤＵに対する応答であってもよい。この時、ＡＰ  ＶＨＴステーションが非活性化状態であるので、同じＴＸＯＰの間には再送信されるＭＰＤＵのサブシーケンスの応答を受信することができないこともある。
【０１０２】
また、ＴＸＯＰ  ｐｏｗｅｒ  ｓａｖｅモードで動作して非活性化状態に転換したＶＨＴステーションはＮＡＶタイマーを非活性化状態の間に動作するようにすることができる。この時、一例として、タイマーが完了すれば、ＶＨＴステーションはアウェイク状態に転換することができる。
【０１０３】
また、ステーションは、ＮＡＶタイマーが満了すれば、媒体アクセスのための競争を行うことができる。
【０１０４】
ＨＥ  ＰＰＤＵ
【０１０５】
ＩＥＥＥ  ８０２．１１ａｘのためのフレーム構造はまだ決定されてはいないが次のように予想する。
【０１０６】
図１８は本発明の一実施例によるＨＥ（Ｈｉｇｈ  Ｅｆｆｉｃｉｅｎｃｙ）ＰＰＤＵフォーマットの一例を示した図である。
【０１０７】
１１ａｘは図１８に示したフレーム構造のようにＨＥ−ＳＩＧ  Ｂまでは既存の１ｘ  シンボル構造（３．２ｕｓ）を維持し、ＨＥ−プリアンブル及びデータパートは４ｘシンボル（１２.８ｕｓ）構造を有するフレーム構造を使うことができる。Ｌパートは既存のＷｉＦｉシステムで維持する形態のようにＬ−ＳＴＦ、Ｌ−ＬＴＦ、Ｌ−ＳＩＧの構成に従う。Ｌ−ＳＩＧはパケット長さ情報を伝達することができる。ＨＥパートは１１ａｘ標準（Ｈｉｇｈ  Ｅｆｆｉｃｉｅｎｃｙ）のために新たに構成されるパートである。
【０１０８】
ＨＥパートのシグナリングフィールド、すなわちＨＥ−ＳＩＧ（ＨＥ−ＳＩＧ  Ａ及びＨＥ−ＳＩＧ  Ｂ）はＬパートとＨＥ−ＳＴＦの間に存在することができ、共通制御情報（Ｃｏｍｍｏｎ  ｃｏｎｔｒｏｌ  ｉｎｆｏｒｍａｔｉｏｎ）と使用者特定情報（ｕｓｅｒ  ｓｐｅｃｉｆｉｃ  ｉｎｆｏｒｍａｔｉｏｎ）を知らせることができる。具体的に、シグナリングフィールドは共通制御情報を伝達するＨＥ−ＳＩＧ  Ａと使用者特定情報を伝達するＨＥ−ＳＩＧ  Ｂでそれぞれ構成されることができる。
【０１０９】
１１ａｘで、Ｈｅ−ＳＩＧの情報に対するものはまだ定義されなかったが、ＨＥ−ＳＩＧ  ＡとＨＥ−ＳＩＧ  Ｂは下記のような情報を含んで送信されることができる。具体的に、表１はＨＥ−ＳＩＧ  Ａに含まれることができる情報を、表２はＨＥ−ＳＩＧ  Ｂに含まれることができる情報を示す。
【０１１０】
【表１】
0006450005.tif 000002
【０１１１】
【表２】
0006450005.tif 000003
【０１１２】
上述したような情報を含むＨＥ−ＳＩＧ  ＡとＨＥ−ＳＩＧ  Ｂはｌｅｇａｃｙ  ｐａｒｔと同一の伝送フォーマット（１ｘシンボル構造）を用いて送信される反面、ＨＥ−ＳＴＦ、ＨＥ−ＬＴＦ、ＤＡＴＡは４ｘシンボル構造を用いて送信されることができ、ＨＥ−ｄａｔａ  ｐａｒｔは帯域幅（ＢＷ）によって多様なリソース割当てブロック（ｒｅｓｏｕｒｃｅ  ａｌｌｏｃａｔｉｏｎ  ｂｌｏｃｋ）／チャンク（ｃｈｕｎｋ）を用いてデータを送信することができる。
【０１１３】
上述したように、ＨＥ−ＳＩＧ  Ｂとデータが互いに異なるシンボル構造を用いて送信されるから、ＨＥ−ＳＩＧ  Ｂとデータが互いに異なる伝送リソースを用いて送信されることができる。したがって、以下で説明する本発明の実施例ではＳＴＡについてのリソース割当て情報を送信するＨＥ−ＳＩＧ  Ｂのリソースブロックと実際のデータが送信されるリソースブロックをマッピングする方法に対して提案する。
【０１１４】
使用者特定情報を含むＨＥ−ＳＩＧ  Ｂは１ｘシンボル構造を用いて送信されるから、広帯域幅に対して２０Ｍｈｚ  ｂａｎｄ単位で複製されて送信されるかあるいは２０Ｍｈｚ帯域幅単位で独立した情報を含めて送信されることができる。例えば、８０Ｍｈｚ帯域幅を用いてＳＴＡ／ＡＰがデータ伝送を行う場合、ＨＥ−ＳＩＧ  Ｂの伝送は次のように示すことができる。
【０１１５】
第１実施形態−ＨＥ−ＳＩＧ  Ｂが複数の２０ＭＨｚ帯域で繰り返し送信される場合
【０１１６】
図１９及び図２０は本発明の一実施例によってＨＥ−ＳＩＧ  Ｂが２０ＭＨｚごとに繰り返し送信される形態によるリソース割当て方式を説明するための図である。
【０１１７】
具体的に、図１９及び図２０は２０Ｍｈｚ単位で複製されて送信される１ｘ  ＨＥ−ＳＩＧ  Ｂの構造を仮定する。この時、データパートはリソースブロック（例えば、２６トーン、２４２トーン）単位で構成されることができる。
【０１１８】
前記構造で、ＨＥ−ＳＩＧ  Ｂで送信されるＳＴＡのリソースブロックについての情報はＨＥ−ＳＩＧ  Ｂが送信される２０Ｍｈｚ帯域幅の４ｘシンボル構造の単位（例えば、２４２チャンク）として与えられることができる。
【０１１９】
以下の説明において、チャンクは連続した周波数トーン（ｆｒｅｑｕｅｎｃｙ  ｔｏｎｅ）の集合を意味するもので、例えば連続した２４２トーンをチャンクと定義することができる。この場合、１個のチャンクはおよそ２０ＭＨｚのＢＷを意味することができる。すなわち、４０ＭＨｚはＤＣ基準に両方に１個ずつ２個のチャンクが存在し、８０ＭＨｚはＤＣ基準に両方に２個ずつ４個のチャンクが存在するように設定されることができる。
【０１２０】
上述した説明に基づいてＳＴＡの数による指示は下記のように与えられることができる。
【０１２１】
まず、データ伝送スケジューリングＳＴＡの数が１の場合（ＳＵの場合）、ＳＴＡはＳＩＧ＿Ａで送信されるＳＵ／ＭＵ指示子を介して帯域に対する全体使用可否が分かり、ＳＩＧ＿Ｂを介して送信される割当て情報（チャンクインデックス、チャンクの数）を介して割り当てられたリソース情報を確認することができる。
【０１２２】
次に、データ伝送スケジューリングＳＴＡの数が２以上の場合（ＭＵの場合）、ＳＴＡはＳＩＧ＿ＢのＡＩＤ／Ｐ−ＡＩＤ、割当て情報（チャンクインデックス、チャンクの数）を介して自分に割り当てられたリソース情報を確認することができ、この時、一つのＳＴＡに１個以上のチャンクも割当て可能である。
【０１２３】
特定のＳＴＡに２個以上のチャンクを割り当てる場合、ＡＰは割り当てられたチャンクインデックスを全て送信するか最初のチャンクインデックスとチャンクの数を送信して最初のチャンクから連続的にチャンクを割り当てられて送信することができる。
【０１２４】
図２０を参照すると、ＨＥ−ＳＩＧ  Ｂが２０ＭＨｚ帯域で同じ制御情報が繰り返し送信されるから、ある一つの２０ＭＨｚ帯域のリソース割当て情報は８０ＭＨｚ帯域の全体に対して２４２チャンク単位でリソース割当てを行う形態を示している。
【０１２５】
上述した実施例のように２０Ｍｈｚに相当する２４２チャンク単位でリソース割当てを行うものとは違い、ＳＩＧ  Ｂで送信されるリソース割当て情報は大きく二段階で与えられることもできる。一番目として２４２チャンク単位で与えられ、二番目として該当チャンク内でのもっと小さなチャンク（例えば、２６、５２、１０６チャンク）を用いてＳＴＡにリソース割当て情報を送信することができる。この時、大きなチャンク内でＳＴＡは多数の小さなチャンクを割り当てられることができる。
【０１２６】
ＨＥ−ＳＩＧ  Ｂに送信されるＳＴＡに対するリソース（チャンク）情報はＨＥ＿ＳＩＧ  Ｂが送信されるリソースとは違い、帯域幅別に定義されたチャンク構成によって送信されることができる。
【０１２７】
図２１は本発明の一実施例によってデータパートが多様な大きさのチャンクで構成される場合を示す図である。
【０１２８】
ＳＴＡが８０Ｍｈｚ帯域幅を用いてデータ送信する場合、図２１に示したように８０Ｍｈｚ帯域幅は多様な大きさのチャンク（例えば、２６、５２、１０６、２４２など）で構成されることができる。したがって、前記のようにＨＥ−ＳＩＧ  Ｂは２０Ｍｈｚ帯域幅を用いて信号を複製して送信し、ＨＥ−ＳＩＧ  Ｂに含まれたＳＴＡに対するリソース割当ては帯域幅別に構成されたチャンク構成情報を用いて構成されることができる。
【０１２９】
具体的に、帯域幅別チャンク構成情報を用いて順次ＳＴＡに割り当てることができる。例えば、８０ＭＨｚ帯域幅を用いてデータを送信する場合、データパートのリソースは２４２チャンクと２６チャンクを用いて構成されることができ、この構成順にＳＴＡに割り当てることができる。この時、ＳＩＧ−Ｂを介して送信される情報はチャンクインデックス、チャンクの数、最初インデックス、設定などの情報の組合せで構成されることができる。また、チャンクサイズによって順次リソースを割り当てることができる。例えば、大きなサイズのチャンクから割り当てるかあるいは小さなサイズチャンクから割り当てることができる。
【０１３０】
他の方法として、ＨＥ−ＳＩＧ  ＢでＳＴＡに割り当てられる割当て情報はデータが送信される帯域幅によって小さな帯域幅（例えば、２０Ｍｈｚ、４０Ｍｈｚ）に相当するチャンクにまず区分された後、区分されたチャンク内で他のサイズのチャンク（例えば、２６、５２、１０６、２４２、４８４）を用いて割り当てられることができる。
【０１３１】
第２実施形態−ＨＥ−ＳＩＧ  Ｂが２０ＭＨｚ帯域で独立して送信される場合
【０１３２】
広帯域幅に対してＨＥ−ＳＩＧ  Ｂは２０Ｍｈｚ単位で独立して１ｘシンボル構造に送信されることができる。すなわち、ＨＥ−ＳＩＧ  Ｂは２０Ｍｈｚ単位で送信され、帯域幅ごとに相異なるＳＴＡについての情報を送信することができる。
【０１３３】
図２２は本発明の一実施例によって２０ＭＨｚ帯域ごとに独立したＨＥ−ＳＩＧ  Ｂが送信される場合を説明するための図である。
【０１３４】
従来よりＦＦＴサイズを４倍に増加したＯＦＤＭＡのためのフレーム構造はチャンクで構成されていると仮定する。チャンクについてのリソース割当て情報は、図２２に示したように、該当チャンクに対応するＨＥ−ＳＩＧ  Ｂを介して送信される方法を提案することができる。すなわち、図２２に示したように、ＨＥ−ＳＩＧ  Ｂが送信される２０Ｍｈｚ帯域幅に相当するリソースについての情報のみを含んで送信することができる。この時、ＳＴＡに送信される割当て情報は２０ＭＨｚに相当する２４２チャンク単位で与えられるかあるいは２０ＭＨｚ内で相異なるサイズのチャンクを用いて構成されることができる。
【０１３５】
ＳＴＡの送信のための割当ては帯域幅別に構成されたチャンクを用いて構成され、この時、２０Ｍｈｚ単位で送信されるＨＥ−ＳＩＧ  Ｂは該当ＳＴＡに割り当てられたチャンクについての情報のみを含むことができる。ＳＴＡに送信される割当て情報はチャンクインデックス、チャンク設定、チャンクサイズ、チャンクの数、開始、終了などの情報で構成されることができる。
【０１３６】
ただ、この実施形態では、上述した例とは違い、ＨＥ−ＳＩＧ  Ｂが送信される２０ＭＨｚ帯域と違う帯域に対してもデータ伝送リソースを割り当てることができると仮定する。すなわち、チャンクについてのリソース割当て情報は該当チャンクに対応するＨＥ−ＳＩＧ  Ｂではない他のＨＥ−ＳＩＧ  Ｂを介して送信される方法を提案することができる。これにより、２０ＭＨｚ帯域ごとのＨＥ−ＳＩＧ  Ｂの間に時間領域整列が容易に行える。
【０１３７】
具体的に、２０ＭＨｚ単位で独立したＨＥ−ＳＩＧ  Ｂが送信される場合、チャンク別に割り当てられるＳＴＡ数が違うことがあり、ＨＥ−ＳＩＧ  Ｂのリソース割当てのための情報量が変わってＨＥ−ＳＩＧ  Ｂの長さが変わることができる。
【０１３８】
したがって、これを解決するための方法として、一つ目、２０ＭＨｚ帯域のＨＥ−ＳＩＧ  Ｂ当たりの割当て使用者数をできるだけ同一に合わせることができる。すなわち、データチャンクがＨＥ−ＳＩＧ  Ｂの２０ＭＨｚ内にあるかに構わずにリソース割当てがなされることができる。
【０１３９】
図２３は本発明の一実施形態によって独立した２０ＭＨｚ単位のＨＥ−ＳＩＧ  ＢがＨＥ−ＳＩＧ  Ｂの２０ＭＨｚ範囲に関係なくリソース割当てを行う方法を説明する図である。
【０１４０】
すなわち、２０ＭＨｚごとに独立したＨＥ−ＳＩＧ  Ｂが送信される状況でＨＥ−ＳＩＧ  Ｂ  １はＨＥ−ＳＩＧ  Ｂ  ２が送信される周波数領域のチャンクに対してリソース割当てを行うことができる。若しくは、ＨＥ−ＳＩＧ  Ｂの長さが変わらない範囲内で各割当て数を割り当てることができる。これはＳＴＡを全帯域幅内に自由に割り当てることを意味する。
【０１４１】
相異なる使用者数であってもＨＥ−ＳＩＧ  Ｂの長さが同じになるようにパターンを決めておくこともできる。例えば、使用者数が多い場合は、高次ＭＣＳを使う形態にパターンを決めておくことで長さが同じになるように合わせることができる。この場合、ＨＥ−ＳＩＧ  Ａで各ＨＥ−ＳＩＧ  Ｂ別の伝送情報（パターンインデックス又は使用者数又はＭＣＳなど、ＨＥ−ＳＩＧ  Ｂデコーディング可能な情報など）をシグナリングすることもできる。
【０１４２】
一方、パッディングによってＨＥ−ＳＩＧ  Ｂの間の時間領域の長さを合わせることもでき、最大使用者数を基準にＨＥ−ＳＩＧ  Ｂのシンボル数を固定することもできる。
【０１４３】
ＨＥ−ＳＩＧ  Ｂを独立して送信するとしても、仮にＭＵではなくＳＵの場合はＨＥ−ＳＩＧ  Ｂを複製して送信することができる。すなわち、ＳＵの場合は無条件にＨＥ−ＳＩＧ  Ｂを複製して送信するように設定することができる。
【０１４４】
このために、ＨＥ−ＳＩＧ  Ａで該当フレームがＳＵであるかあるいはＭＵであるかをシグナリングすることもできる。
【０１４５】
第３実施形態−第１実施形態と第２実施形態の結合
【０１４６】
一方、ＨＥ−ＳＩＧ  Ｂは２０ＭＨｚ単位で繰り返し送信される上述した第１実施形態と２０ＭＨｚ単位で独立した情報が送信される第２実施形態の結合形態で送信されることもできる。
【０１４７】
図２４は本発明の一実施例によってＨＥ−ＳＩＧ  Ｂが送信される形態を示す図である。
【０１４８】
図２４は４０ＭＨｚ帯域でＨＥ−ＳＩＧ  Ｂは２０ＭＨｚごとに独立した情報が送信されるように設定されることができる。すなわち、図２４の‘１’と‘２’は互いに異なるＨＥ−ＳＩＧ  Ｂ情報を示す。
【０１４９】
一方、８０ＭＨｚ帯域又は１６０ＭＨｚ帯域でフレームが送信される場合、上述したように４０ＭＨｚ帯域内での二つの独立したＨＥ−ＳＩＧ  Ｂ情報は後続の４０ＭＨｚ帯域（等）で繰り返し送信されることができる。すなわち、広帯域フレームでＨＥ−ＳＩＧ  Ｂは２０ＭＨｚの単位で１、２、１、２が繰り返される形態を有することができる。
【０１５０】
上述したような状況でそれぞれの独立したＨＥ−ＳＩＧ  Ｂ（すなわち、１又は２）は互いに異なる２０ＭＨｚ帯域のチャンクに対するリソース割当てを行うことができる。
【０１５１】
図２５は本発明の一実施例によるＡＰ装置（又は基地局装置）及びステーション装置（又は端末装置）の例示的な構成を示すブロック図である。
【０１５２】
ＡＰ１００はプロセッサ１１０、メモリ１２０及び送受信機１３０を含むことができる。ステーション１５０はプロセッサ１６０、メモリ１７０及び送受信機１８０を含むことができる。
【０１５３】
送受信機１３０及び１８０は無線信号を送信／受信することができ、例えばＩＥＥＥ  ８０２システムによる物理層を実装することができる。プロセッサ１１０及び１６０は送受信機１３０及び１８０に連結され、ＩＥＥＥ  ８０２システムによる物理層及び／又はＭＡＣ層を実装することができる。プロセッサ１１０及び１６０は前述した本発明の多様な実施例の一つ又は二つ以上の組合せによる動作を行うように構成されることができる。また、前述した本発明の多様な実施例によるＡＰ及びステーションの動作を実装するモジュールがメモリ１２０及び１７０に記憶され、プロセッサ１１０及び１６０によって実行されることができる。メモリ１２０及び１７０はプロセッサ１１０及び１６０の内部に含まれるかあるいはプロセッサ１１０及び１６０の外部に設けられ、プロセッサ１１０及び１６０と公知の手段を介して連結されることができる。
【０１５４】
前述したＡＰ装置１００及びステーション装置１５０についての説明は他の無線通信システム（例えば、ＬＴＥ／ＬＴＥ−Ａシステム）の基地局装置及び端末装置にそれぞれ適用可能である。
【０１５５】
このようなＡＰ及びステーション装置の具体的な構成は、前述した本発明の多様な実施例で説明した事項が独立して適用されるかあるいは二つ以上の実施例が同時に適用されるように実装することができ、重複する内容は明確性のためにその説明を省略する。
【０１５６】
図２６は本発明の一実施例によるＡＰ装置又はステーション装置のプロセッサの例示的な構造を示す。
【０１５７】
ＡＰ又はステーションのプロセッサは複数の層（ｌａｙｅｒ）構造を有することができ、図３０はこれらの層の中で特にＤＬＬ（Ｄａｔａ  Ｌｉｎｋ  Ｌａｙｅｒ）上のＭＡＣ副層（ｓｕｂｌａｙｅｒ）３８１０及び物理層３８２０を集中的に示す。図３０に示すように、ＰＨＹ３８２０はＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）個体３８２１、及びＰＭＤ（Ｐｈｙｓｉｃａｌ  Ｍｅｄｉｕｍ  Ｄｅｐｅｎｄｅｎｔ）個体３８２２を含むことができる。ＭＡＣ副層３８１０及びＰＨＹ３８２０はいずれも概念的にＭＬＭＥ（ＭＡＣ  ｓｕｂｌａｙｅｒ  Ｍａｎａｇｅｍｅｎｔ  Ｅｎｔｉｔｙ）３８１１と呼ばれる管理個体をそれぞれ含む。このような個体３８１１、３８２１は階層管理機能が動作する階層管理サービスインターフェースを提供する。
【０１５８】
正確なＭＡＣ動作を提供するために、ＳＭＥ（Ｓｔａｔｉｏｎ  Ｍａｎａｇｅｍｅｎｔ  Ｅｎｔｉｔｙ）３８３０がそれぞれのステーション内に存在する。ＳＭＥ３８３０は、別個の管理プレーン内に存在するかあるいは別に離れて（ｏｆｆ  ｔｏ  ｔｈｅ  ｓｉｄｅ）いると思われることができる階層独立的な個体である。ＳＭＥ３８３０の正確な機能はこの文書で具体的に説明しないが、一般的にこのような個体３８３０は、多様な階層管理個体（ＬＭＥ）から階層従属的な状態を収集し、階層特定パラメータの値を類似するように設定するなどの機能を担当すると思われることができる。ＳＭＥ３８３０は一般的に一般システム管理個体を代表して（ｏｎ  ｂｅｈａｌｆ  ｏｆ）このような機能を行い、標準管理プロトコルを実装することができる。
【０１５９】
図２６で示す個体は多様な方式で相互作用する。図２６ではＧＥＴ／ＳＥＴプリミティブ（ｐｒｉｍｉｔｉｖｅ）を交換するいくつかの例を示す。ＸＸ−ＧＥＴ．ｒｅｑｕｅｓｔプリミティブは与えられたＭＩＢ  ａｔｔｒｉｂｕｔｅ（管理情報に基づく属性情報）の値を要求するために使われる。ＸＸ−ＧＥＴ．ｃｏｎｆｉｒｍプリミティブは、Ｓｔａｔｕｓが“成功”の場合には適切なＭＩＢ属性情報値をリターンし、そうではなければＳｔａｔｕｓフィールドでエラー指示をリターンするために使われる。ＸＸ−ＳＥＴ．ｒｅｑｕｅｓｔプリミティブは指示されたＭＩＢ属性が与えられた値に設定されるように要求するために使われる。前記ＭＩＢ属性が特定の動作を意味する場合、これは該当動作が行われることを要求するものである。そして、ＸＸ−ＳＥＴ．ｃｏｎｆｉｒｍプリミティブはｓｔａｔｕｓが“成功”の場合に指示されたＭＩＢ属性が要求された値に設定されたことを確認し、そうではなければｓｔａｔｕｓフィールドにエラー条件をリターンするために使われる。ＭＩＢ属性が特定の動作を意味する場合、これは該当動作が遂行されたことを確認する。
【０１６０】
図２６に示すように、ＭＬＭＥ３８１１及びＳＭＥ３８３０は多様なＭＬＭＥ＿ＧＥＴ／ＳＥＴプリミティブをＭＬＭＥ＿ＳＡＰ３８５０を介して交換することができる。また、多様なＰＬＣＭ＿ＧＥＴ／ＳＥＴプリミティブがＰＬＭＥ＿ＳＡＰ３８６０を介してＰＬＭＥ３８２１とＳＭＥ３８３０の間で交換されることができ、ＭＬＭＥ−ＰＬＭＥ＿ＳＡＰ３８７０を介してＭＬＭＥ３８１１とＰＬＭＥ３８７０の間で交換されることができる。
【０１６１】
上述した本発明の実施例は多様な手段によって実装可能である。例えば、本発明の実施例はハードウェア、ファームウエア（ｆｉｒｍｗａｒｅ）、ソフトウェア又はそれらの組合せなどによって実装可能である。
【０１６２】
ハードウェアによる実装の場合、本発明の実施例による方法は一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって実装可能である。
【０１６３】
ファームウエア又はソフトウェアによる実装の場合、本発明の実施例による方法は以上で説明した機能又は動作を行うモジュール、過程又は関数などの形態に実装可能である。ソフトウェアコードはメモリユニットに記憶され、プロセッサによって駆動されることができる。前記メモリユニットは前記プロセッサの内部又は外部に位置し、既に公知になった多様な手段によって前記プロセッサとデータを取り交わすことができる。
【０１６４】
上述したように開示した本発明の好適な実施形態についての詳細な説明は当業者が本発明を実装して実施することができるように提供された。前記では本発明の好適な実施形態に基づいて説明したが、当該技術分野の熟練した当業者は下記の特許請求の範囲に記載した本発明の思想及び領域から逸脱しない範囲内で本発明を多様に修正及び変更することができることを理解することが可能であろう。したがって、本発明はここに示した実施形態に制限されるものではなく、ここに開示した原理及び新規の特徴と一致する最広の範囲を付与しようとするものである。また、以上ではこの明細書の好適な実施例について示して説明したが、この明細書は上述した特定の実施例に限定されなく、請求範囲で請求するこの明細書の要旨を逸脱することなしに当該発明が属する技術分野で通常の知識を有する者によって多様な変形実施が可能であるのは言うまでもなく、このような変形実施はこの明細書の技術的思想又は見込みから個別的に理解されてはいけないであろう。
【０１６５】
そして、この明細書では物の発明と方法の発明を共に説明しており、必要によって両発明の説明は補充的に適用可能である。
【産業上の利用可能性】
【０１６６】
上述したように、本発明の実施例はＩＥＥＥ  ８０２．１１システムなどの多様な無線通信システムに適用可能である。
【図１】
0006450005.tif 000004
【図２】
0006450005.tif 000005
【図３】
0006450005.tif 000006
【図４】
0006450005.tif 000007
【図５】
0006450005.tif 000008
【図６】
0006450005.tif 000009
【図７】
0006450005.tif 000010
【図８】
0006450005.tif 000011
【図９】
0006450005.tif 000012
【図１０】
0006450005.tif 000013
【図１１】
0006450005.tif 000014
【図１２】
0006450005.tif 000015
【図１３（ａ）】
0006450005.tif 000016
【図１３（ｂ）】
0006450005.tif 000017
【図１４】
0006450005.tif 000018
【図１５（ａ）】
0006450005.tif 000019
【図１５（ｂ）】
0006450005.tif 000020
【図１６（ａ）】
0006450005.tif 000021
【図１６（ｂ）】
0006450005.tif 000022
【図１７（ａ）】
0006450005.tif 000023
【図１７（ｂ）】
0006450005.tif 000024
【図１８】
0006450005.tif 000025
【図１９】
0006450005.tif 000026
【図２０】
0006450005.tif 000027
【図２１】
0006450005.tif 000028
【図２２】
0006450005.tif 000029
【図２３】
0006450005.tif 000030
【図２４】
0006450005.tif 000031
【図２５】
0006450005.tif 000032
【図２６】
0006450005.tif 000033